(57)【要約】【課題】エンジン冷却水を熱源にして車室内を暖房する車両において、車室内の暖房を優先する場合には変速マップを変更するようにした無段変速機制御装置を提供する。【解決手段】エンジン１の動力を無段変速機２を介して駆動輪４ａ、４ｂへ伝達するとともに、エンジン１の冷却水を熱源として車室内の暖房を行う車両において、暖房操作部材６，７が予め定めた位置に設定された場合は、エンジン回転速度が高くなるように最良燃費の変速パターンを変更し、変更後の変速パターンからアクセルペダル操作量検出値と車速検出値とに対応するエンジン回転速度を求め、そのエンジン回転速度を実現するように無段変速機２の変速比を制御する。また、エンジン冷却水温度の上昇率が所定値未満の場合は、エンジン回転速度が高くなるように最良燃費の変速パターンを変更し、変更後の変速パターンからアクセルペダル操作量検出値と車速検出値とに対応するエンジン回転速度を求め、そのエンジン回転速度を実現するように無段変速機２の変速比を制御する。【選択図】  図１
2004239334.tif 000002
【特許請求の範囲】
【請求項１】
アクセルペダルの操作量を検出するアクセルペダル操作量検出手段と、
車速を検出する車速検出手段と、
エンジンの回転速度を検出するエンジン回転速度検出手段と、
アクセルペダル操作量と車速に対するエンジン回転速度を定めた無段変速機の最良燃費の変速パターンを記憶する変速パターン記憶手段と、
前記変速パターンから前記アクセルペダル操作量検出値と前記車速検出値とに対応するエンジン回転速度を求め、そのエンジン回転速度を実現するように前記無段変速機の変速比を制御する変速比制御手段とを備え、
前記エンジンの動力を前記無段変速機を介して駆動輪へ伝達するとともに、前記エンジンの冷却水を熱源として車室内の暖房を行う車両の無段変速機制御装置であって、
車室内の暖房を行うための暖房操作部材と、
前記暖房操作部材が予め定めた位置に設定された場合は、エンジン回転速度が高くなるように前記最良燃費の変速パターンを変更する変速パターン変更手段とを備え、
前記変速比制御手段は、前記変速パターン変更手段で変速パターンが変更された場合は、変更後の変速パターンから前記アクセルペダル操作量検出値と前記車速検出値とに対応するエンジン回転速度を求め、そのエンジン回転速度を実現するように前記無段変速機の変速比を制御することを特徴とする無段変速機制御装置。
【請求項２】
請求項１に記載の無段変速機制御装置において、
前記暖房操作部材は車室内の目標温度を設定する温度設定手段であり、
前記変速パターン変更手段は、前記温度設定手段が最高温度の位置に設定された場合は前記最良燃費の変速パターンを変更することを特徴とする無段変速機制御装置。
【請求項３】
請求項１に記載の無段変速機制御装置において、
前記暖房操作部材は車室内へ吹き出す温風の風量を設定する風量設定手段であり、
前記変速パターン変更手段は、前記風量設定手段が最大風量の位置に設定された場合は前記最良燃費の変速パターンを変更することを特徴とする無段変速機制御装置。
【請求項４】
請求項１〜３に記載の無段変速機制御装置において、
前記エンジンの冷却水温度を検出する冷却水温度検出手段を備え、
前記変速パターン変更手段は、前記冷却水温度検出手段で所定値以上の温度が検出された場合は、前記最良燃費の変速パターンの変更を行わないことを特徴とする無段変速機制御装置。
【請求項５】
アクセルペダルの操作量を検出するアクセルペダル操作量検出手段と、
車速を検出する車速検出手段と、
エンジンの回転速度を検出するエンジン回転速度検出手段と、
アクセルペダル操作量と車速に対するエンジン回転速度を定めた無段変速機の最良燃費の変速パターンを記憶する変速パターン記憶手段と、
前記変速パターンから前記アクセルペダル操作量検出値と前記車速検出値とに対応するエンジン回転速度を求め、そのエンジン回転速度を実現するように前記無段変速機の変速比を制御する変速比制御手段とを備え、
前記エンジンの動力を前記無段変速機を介して駆動輪へ伝達するとともに、前記エンジンの冷却水を熱源として車室内の暖房を行う車両の無段変速機制御装置であって、
前記エンジンの冷却水温度を検出する冷却水温度検出手段と、
前記冷却水温度検出値の上昇率が所定値未満の場合は、エンジン回転速度が高くなるように前記最良燃費の変速パターンを変更する変速パターン変更手段とを備え、
前記変速比制御手段は、前記変速パターン変更手段で変速パターンが変更された場合は、変更後の変速パターンから前記アクセルペダル操作量検出値と前記車速検出値とに対応するエンジン回転速度を求め、そのエンジン回転速度を実現するように前記無段変速機の変速比を制御することを特徴とする無段変速機制御装置。
【請求項６】
請求項５に記載の無段変速機制御装置において、
前記変速パターン変更手段は、前記冷却水温度の上昇率が低いほどエンジン回転速度が高くなるように前記最良燃費の変速パターンを変更することを特徴とする無段変速機制御装置。
【請求項７】
請求項５または請求項６に記載の無段変速機制御装置において、
前記変速パターン変更手段は、前記冷却水温度検出手段で所定値以上の温度が検出された場合は、前記最良燃費の変速パターンの変更を行わないことを特徴とする無段変速機制御装置。
【発明の詳細な説明】
【０００１】
【発明の属する技術分野】
本発明は、ベルト式やトロイダル式の無段変速機の制御装置に関する。
【０００２】
【従来の技術】
車速とスロットルバルブ開度とに応じたエンジン回転速度を決定し、無段変速機の変速マップを設定した無段変速機制御装置が知られている（例えば、特許文献１参照）。
【０００３】
この出願の発明に関連する先行技術文献としては次のものがある。
【特許文献１】
特開２００２−１０６７０６号公報
【０００４】
【発明が解決しようとする課題】
ところで、無段変速機を装備した車両は、自動変速機（ＡＴ）を装備した車両に比べると、同一車速におけるエンジンの回転速度が低くなる傾向がある。このため、無段変速機を装備した車両では、エンジン始動時に冷却水温度の立ち上がりが遅くなり、エンジン冷却水を熱源とする車室内暖房装置では十分な暖房が得られないという問題がある。
【０００５】
本発明は、エンジン冷却水を熱源にして車室内を暖房する車両において、車室内の暖房を優先する場合には変速マップを変更するようにした無段変速機制御装置を提供するものである。
【０００６】
【課題を解決するための手段】
本発明は、エンジンの動力を無段変速機を介して駆動輪へ伝達するとともに、エンジンの冷却水を熱源として車室内の暖房を行う車両の無段変速機制御装置であって、車室内の暖房を行うための暖房操作部材が予め定めた位置に設定された場合は、エンジン回転速度が高くなるように最良燃費の変速パターンを変更し、変更後の変速パターンからアクセルペダル操作量検出値と車速検出値とに対応するエンジン回転速度を求め、そのエンジン回転速度を実現するように無段変速機の変速比を制御する。
また、本発明は、エンジンの動力を無段変速機を介して駆動輪へ伝達するとともに、エンジンの冷却水を熱源として車室内の暖房を行う車両の無段変速機制御装置であって、エンジンの冷却水温度検出値の上昇率が所定値未満の場合は、エンジン回転速度が高くなるように最良燃費の変速パターンを変更し、変更後の変速パターンからアクセルペダル操作量検出値と車速検出値とに対応するエンジン回転速度を求め、そのエンジン回転速度を実現するように無段変速機の変速比を制御する。
【０００７】
【発明の効果】
本発明によれば、エンジン始動後に速く車室内温度を立ち上げ、十分な暖かさで車室内を暖房することができる。
【０００８】
【発明の実施の形態】
《発明の第１の実施の形態》
図１は第１の実施の形態の構成を示す。エンジン１の出力軸にはＣＶＴ（Ｃｏｎｔｉｎｕｏｕｓｌｙ  Ｖａｒｉａｂｌｅ  Ｔｒａｎｓｍｉｓｓｉｏｎ）２が接続される。ＣＶＴ２は、図示しないトルクコンバーター、前後進切換部、ベルト＆プーリー、油圧制御部などを備えている。エンジン１の動力はＣＶＴ２から減速機３を介して駆動輪４ａ、４ｂへ伝達され、車両を走行させる。
【０００９】
なお、この一実施の形態ではベルト式無段変速機（ＣＶＴ）を用いた例を示すが、無段変速機はＣＶＴに限定されず、例えばトロイダル式の無段変速機であってもよい。
【００１０】
エアコン・コントローラー５は、不図示のコンプレッサー、ブロアファン、エアーミックスドアなどを制御して車室内の温度がその目標値になるように車載空調装置を制御する。この車載空調装置は、蒸気圧縮式冷媒サイクルにより車室内の冷房を行うとともに、エンジン１の冷却水をヒーターコアに通し、エンジン冷却水を熱源として車室内の暖房を行う。エアコン・コントローラー５には、車室内の目標温度を設定するための温度設定器６、ブロアファンによる空調風の吹き出し風量を設定するファンスイッチ７、後述する変速機・コントローラー８、エンジン・コントローラー９などが接続されている。
【００１１】
エンジン・コントローラー９はエンジン１の燃料噴射制御、点火制御などを行い、エンジン１の回転速度と出力トルクを調節する。エンジン・コントローラー９には、アクセルペダル（不図示）の操作量θを検出するアクセルペダル操作量センサー１０、エンジン１の冷却水温度Ｔｗを検出する水温センサー１１、車速Ｖｓｐ［ｋｍ／ｈ］を検出する車速センサー１２、エンジン１の回転速度Ｎｅ［ｒｐｍ］を検出する回転センサー１３、エアコン・コントローラー５、変速機・コントローラー８などが接続されている。
【００１２】
変速機・コントローラー８はＣＰＵ８ａとメモリ８ｂなどの周辺部品から構成され、ＣＶＴ２の変速比を制御する。メモリ８ｂには、アクセルペダル操作量ごとに車速に対するエンジン回転速度を設定した無段変速機の変速パターンが記憶されており、この変速パターンから現在のアクセルペダル操作量θと車速Ｖｓｐに対するエンジン回転速度Ｎｅ［ｒｐｍ］を表引き演算し、そのエンジン回転速度Ｎｅを実現するようにＣＶＴ２の変速比を制御する。変速機・コントローラー８には、エアコン・コントローラー５、エンジン・コントローラー９、イグニッションスイッチ１４などが接続されている。
【００１３】
次に、一実施の形態の無段変速機の変速比制御方法について説明する。一般に、無段変速機を装備した車両では、回転速度とトルクの二次元平面上におけるエンジンの運転点が燃料消費が最少となる最適燃費運転線上になるように、無段変速機の変速比を制御してエンジンの回転速度を調節する。このため、上述したように、無段変速機を装備した車両は、自動変速機（ＡＴ）を装備した車両に比べると、同一車速におけるエンジンの回転速度が低くなる傾向があり、エンジン始動時には冷却水温度Ｔｗの立ち上がりが遅く、エンジン冷却水を熱源とする車室内暖房装置では十分な暖房が得られない。
【００１４】
図２は、エンジン回転速度と軸トルクに対するエンジン冷却水放熱量を示す。図において、エンジン回転速度と軸トルクの二次元平面上には、エンジン冷却水放熱量が等しい点を結んだ等放熱量線が描かれている。この特性曲線上において、エンジンにＣＶＴを組み合わせたＣＶＴ車とエンジンにＡＴを組み合わせたＡＴ車とを比較すると、ＣＶＴ車はＡＴ車に比べて同一車速におけるエンジン回転速度が低いので、図中に○印で示すＣＶＴ車の運転点は図中に△印で示すＡＴ車の運転点よりも左側になる。つまり、同一車速で走行した場合、ＣＶＴ車はＡＴ車よりもエンジン冷却水放熱量が小さい。
【００１５】
この問題を解決するために、空調装置のヒーターユニット内にバッテリーの蓄電力を電源とするＰＴＣサーミスターなどの補助暖房装置を設置し、暖房能力不足を補うようにした車両用空調装置がある。また、エンジンの排気管にシャッターを設け、この排気シャッターを閉じることによって暖房性能を向上させるものがある。しかしながら、これらの装置ではＰＴＣサーミスターや排気シャッターを新たに設置しなければならず、コスト増や重量増になる。
【００１６】
この第１の実施の形態では、車室内暖房を最優先する乗員の強い要求がある場合には、最適燃費運転点でエンジン１を運転するよりもＣＶＴの変速比を変更して車室内の暖房を優先させる。具体的には、温度設定器６が最高温度に設定され、かつファンスイッチ７が最大風量に設定されているときは、車室内暖房を最優先する乗員の強い要求があると判断し、燃費優先で運転する通常の変速マップ１に代えてエンジン１の回転速度が高くなる暖房優先の変速マップ２を選択し、変速マップ２にしたがってＣＶＴ２の変速比を調節する。
【００１７】
図３はＣＶＴの燃費優先の通常の変速マップ１を示し、図４はＣＶＴの暖房優先の変速マップ２を示す。これらの変速マップ１、２は、アクセルペダル操作量θごとの車速Ｖｓｐに対するエンジン回転速度Ｎｅを定めた変速パターンを表す。図３および図４に示す変速マップ例では、１／８、２／８、４／８、８／８の各アクセルペダル操作量θの場合の車速Ｖｓｐに対するエンジン回転速度Ｎｅの変速パターンを示す。この一実施の形態では、アクセルペダル操作量センサー１０により検出したアクセルペダル操作量θに対応する変速パターンから、車速センサー１２により検出した車速Ｖｓｐに対応するエンジン回転速度Ｎｅを表引き演算し、このエンジン回転速度Ｎｅを実現するようにＣＶＴ２の変速比を調節する。
【００１８】
燃費優先の通常の変速マップ１（図３）と暖房優先の変速マップ２（図４）とを比較すると、同一アクセルペダル操作量θと同一車速Ｖｓｐに対するエンジン回転速度Ｎｅは、燃費優先の通常の変速マップ１よりも暖房優先の変速マップ２の方が高い。つまり、車室内の暖房を優先する時は、通常の最適燃費でエンジン１を運転する場合よりもエンジン回転速度を高くする。暖房優先の変速マップ２に沿ってＣＶＴ２の変速比を制御した場合には、燃費優先の通常の変速マップ１で制御する場合に比べ、エンジン１の冷却水温度Ｔｗは速く上昇し、しかも高い温度になる。したがって、エンジン冷却水を熱源にして車室内を暖房する無段変速機装備車でも、エンジン始動後に速く車室内温度を立ち上げ、十分な暖かさで車室内を暖房することができる。
【００１９】
図５は、変速機・コントローラー８の変速制御プログラムを示すフローチャートである。このフローチャートにより、第１の実施の形態の動作を説明する。変速機・コントローラー８のＣＰＵ８ａは、イグニッションスイッチ１４がＯＮ位置に設定されている間、所定時間ごとにこの変速制御プログラムを実行する。
【００２０】
ステップ１において、エンジン・コントローラー９から受信したエンジン冷却水温度Ｔｗが所定値α以上か否かを確認する。この所定値αは、燃費優先の通常の変速マップ１を選択するか否かを判定するエンジン冷却水温度Ｔｗの判定基準値であり、例えば８０℃とする。エンジン冷却水温度Ｔｗが所定値α（８０℃）以上の場合には、エンジン回転速度Ｎｅを上げなくてもエンジン冷却水を熱源として十分な暖かさで車室内を暖房することができるので、ステップ２へ進んで無条件に通常の変速マップ１（図３参照）を選択する。そして、通常の変速マップ１から現在の車速Ｖｓｐとアクセルペダル操作量θに対応するエンジン回転速度Ｎｅを表引き演算し、そのエンジン回転速度Ｎｅを実現するようにＣＶＴ２の変速比を制御する。
【００２１】
エンジン冷却水温度Ｔｗがα（８０℃）未満のときはステップ３へ進み、エアコン・コントローラー５から受信した温度設定器６の設定値が最高温度になっているか否かを確認する。最高温度が設定されていないときは、乗員から車室内暖房を最優先する強い要求はないと判断し、ステップ２へ進んで燃費優先の通常の変速マップ１を選択し、変速マップ１にしたがってＣＶＴ２の変速比を制御する。
【００２２】
温度設定器６が最高温度に設定されているときはステップ４へ進み、エアコン・コントローラー５から受信したファンスイッチ７の設定値が最大風量になっているか否かを確認する。最大風量が設定されていないときは、乗員から車室内暖房を最優先する強い要求はないと判断し、ステップ２へ進んで燃費優先の通常の変速マップ１を選択し、変速マップ１にしたがってＣＶＴ２の変速比を制御する。
【００２３】
温度設定器６により最高温度に設定され、かつファンスイッチ７により最大風量が設定されているときはステップ５へ進み、車室内暖房を最優先する乗員の強い要求があると判断し、暖房優先の変速マップ２（図４参照）を選択する。そして、暖房優先の変速マップ２から現在のアクセルペダル操作量θと車速Ｖｓｐに対応するエンジン回転速度Ｎｅを表引き演算し、そのエンジン回転速度Ｎｅを実現するようにＣＶＴ２の変速比を制御する。
【００２４】
上述した第１の実施の形態では、温度設定器６により最高温度が設定され、かつファンスイッチ７により最大風量が設定されている場合に、燃費優先の通常の変速マップ１からエンジン回転速度が高くなる暖房優先の変速マップ２へ変更するようにしたが、車室内の目標温度に最高温度が設定されている場合、または空調風の吹き出し風量に最大風量が設定されている場合に燃費優先の通常の変速マップ１から暖房優先の変速マップ２へ変更するようにしてもよい。なお、車室内目標温度に最高温度が設定されている場合に変速マップを変更する例を示したが、必ずしも最高温度に限らず、温度設定器６が予め定めた高温位置に設定された場合に変速マップを変更するようにしてもよい。また、空調風の吹き出し風量に最大風量が設定されている場合に変速マップを変更する例を示したが、必ずしも最大風量に限らず、ファンスイッチ７が予め定めた風量の多い位置に設定されている場合に変速マップを変更するようにしてもよい。
【００２５】
このように、第１の実施の形態によれば、エンジン１の動力をＣＶＴ２を介して駆動輪４ａ、４ｂへ伝達するとともに、エンジン１の冷却水を熱源として車室内の暖房を行う車両において、温度設定器６とファンスイッチ７が最高温度と最大風量の位置に設定された場合に、燃費優先の変速パターン（最良燃費の変速パターン）からエンジン回転速度が高くなる暖房優先の変速パターンへ変更し、変更後の変速パターンからアクセルペダル操作量と車速とに対応するエンジン回転速度を求め、そのエンジン回転速度を実現するようにＣＶＴ２の変速比を制御するようにしたので、エンジン始動後に速く車室内温度を立ち上げ、十分な暖かさで車室内を暖房することができる。
【００２６】
また、第１の実施の形態によれば、エンジン冷却水温度が所定値α以上の場合は、燃費優先の通常の変速パターンから暖房優先の変速パターンへの変更を行わないようにしたので、エンジン冷却水を熱源にして十分な車室内暖房が期待できる場合には燃費優先の変速比制御が行われ、燃費が無駄に低下するのを防止できる。
【００２７】
《発明の第２の実施の形態》
上述した第１の実施の形態では、車室内暖房を最優先にする乗員の強い要求があった場合に暖房優先の変速マップ２を選択する例を示したが、エンジン冷却水温度Ｔｗの上昇率が低い場合に暖房優先の変速マップ２を選択する第２の実施の形態を説明する。なお、この第２の実施の形態の構成は図１に示す構成と同様であり、説明を省略する。
【００２８】
図６は、エンジン始動後の経過時間ｔ［ｍｉｎ］に対するエンジン冷却水温度Ｔｗ［℃］の上昇特性を示す。エンジン始動後、冷却水温度Ｔｗの特性曲線の傾きである上昇率ｄＴｗ／ｄｔが低いと、車室内温度の上昇が遅くなり、エンジン冷却水温度Ｔｗが上記所定値α（例えば８０℃）に達するまでの間、車室内は十分な暖房が行えない。上述したように、この所定値αは、暖房優先の変速マップ２へ切り換えなくても燃費優先の通常の変速マップ１で十分に車室内の暖房が可能なエンジン冷却水温度である。
【００２９】
なお、エンジン冷却水温度Ｔｗの上昇が遅くなる原因としては、エンジン１のブロック放熱量が大きい、外気温が低い、車室内暖房のために車室内空調ユニットのヒーターコア（不図示）を介してエンジン冷却水から車室内へ取り込む熱量が大きい、などが考えられる。
【００３０】
この第２の実施の形態では、エンジン始動後の冷却水温度Ｔｗの上昇率ｄＴｗ／ｄｔが所定値γより低いときは、最良燃費で運転する通常の変速マップ１に代えてエンジン１の回転速度が高くなる暖房優先の変速マップ２を選択し、暖房優先の変速マップ２にしたがってＣＶＴ２の変速比を調節する。
【００３１】
図７は、変速機・コントローラー８の変速制御プログラムを示すフローチャートである。このフローチャートにより、第２の実施の形態の動作を説明する。なお、図５に示す処理と同様な処理を行うステップに対しては同一のステップ番号を付して相違点を中心に説明を省略する。
【００３２】
エンジン冷却水温度Ｔｗが所定値α（例えば８０℃）以上の場合は、エンジン回転速度Ｎｅを上げなくてもエンジン冷却水を熱源として十分な暖かさで車室内を暖房することができるので、ステップ２へ進んで無条件に燃費優先の通常の変速マップ１（図３参照）を選択し、通常の変速マップ１にしたがってＣＶＴ２の変速比を制御する。
【００３３】
エンジン冷却水温度Ｔｗが所定値α（８０℃）未満のときはステップ１１へ進み、エンジン始動後のエンジン冷却水温度Ｔｗの単位時間当たりの上昇率ｄＴｗ／ｄｔを演算する。続くステップ１２において、エンジン冷却水温度上昇率ｄＴｗ／ｄｔが所定値γ未満か否かを確認する。この所定値γは、暖房優先の変速マップ２を選択するか否かを判定するエンジン冷却水温度上昇率ｄＴｗ／ｄｔの判定基準値である。
【００３４】
エンジン冷却水温度Ｔｗの上昇率ｄＴｗ／ｄｔが所定値γ未満のときはステップ５へ進む。ステップ５では、暖房優先の変速マップ２を選択し、変速マップ２にしたがってＣＶＴ２の変速比を制御する。一方、エンジン冷却水温度Ｔｗの上昇率ｄＴｗ／ｄｔが所定値γ以上の場合はステップ２へ進み、エンジン冷却水温度Ｔｗはすぐに上記所定値α（８０℃）に達するのでエンジン回転速度を上げる必要はないと判断し、燃費優先の通常の変速マップ１を選択し、変速マップ１にしたがってＣＶＴ２の変速比を制御する。
【００３５】
このように、第２の実施の形態によれば、エンジン１の動力をＣＶＴ２を介して駆動輪４ａ、４ｂへ伝達するとともに、エンジン１の冷却水を熱源として車室内の暖房を行う車両において、エンジン冷却水温度の上昇率が所定値未満の場合は、燃費優先の変速パターンからエンジン回転速度が高くなる暖房優先の変速パターンに変更し、変更後の変速パターンからアクセルペダル操作量と車速とに対応するエンジン回転速度を求め、そのエンジン回転速度を実現するようにＣＶＴ２の変速比を制御するようにしたので、エンジン始動後に速く車室内温度を立ち上げ、十分な暖かさで車室内を暖房することができる。
【００３６】
また、第２の実施の形態によれば、エンジン冷却水温度が所定値α以上の場合は、燃費優先の通常の変速パターンから暖房優先の変速パターンへの変更を行わないようにしたので、エンジン冷却水を熱源にして十分な車室内暖房が期待できる場合には燃費優先の変速比制御が行われ、燃費が無駄に低下するのを防止できる。
【００３７】
《発明の第３の実施の形態》
上述した第２の実施の形態では、エンジン冷却水温度上昇率ｄＴｗ／ｄｔにより燃費優先の通常の変速パターン１から暖房優先の変速パターン２へ切り換え、エンジン回転速度を段階的に変化させる例を示したが、エンジン冷却水温度上昇率ｄＴｗ／ｄｔが所定値γ未満の場合は、水温上昇率ｄＴｗ／ｄｔが低いほどエンジン回転速度が高くなるように、水温上昇率ｄＴｗ／ｄｔに反比例してエンジン回転速度を連続的に変えるようにした第３の実施の形態を説明する。なお、この第３の実施の形態の構成は上述した図１に示す構成と同様であり、説明を省略する。
【００３８】
図８は、変速機・コントローラー８の変速制御プログラムを示すフローチャートである。このフローチャートにより、第３の実施の形態の動作を説明する。なお、図７に示す処理と同様な処理を行うステップに対しては同一の符号を付して説明する。
【００３９】
エンジン冷却水温度Ｔｗが所定値α（例えば８０℃）以上の場合は、エンジン回転速度Ｎｅを上げなくてもエンジン冷却水を熱源として十分な暖かさで車室内を暖房することができるので、ステップ２へ進んで無条件に燃費優先の通常の変速マップ１（図３参照）を選択し、通常の変速マップ１にしたがってＣＶＴ２の変速比を制御する。
【００４０】
エンジン冷却水温度Ｔｗが所定値α（８０℃）未満のときはステップ１１へ進み、エンジン始動後のエンジン冷却水温度Ｔｗの単位時間当たりの上昇率ｄＴｗ／ｄｔを演算する。続くステップ１２において、エンジン冷却水温度上昇率ｄＴｗ／ｄｔが所定値γ未満か否かを確認する。上述したように、この所定値γは、暖房優先の変速マップ２を選択するか否かを判定するエンジン冷却水温度上昇率ｄＴｗ／ｄｔの判定基準値である。
【００４１】
エンジン冷却水温度上昇率ｄＴｗ／ｄｔが所定値γ以上の場合はステップ２へ進み、エンジン冷却水温度Ｔｗはすぐに上記所定値α（８０℃）に達するのでエンジン回転速度を上げる必要はないと判断し、燃費優先の通常の変速マップ１を選択してＣＶＴ２の変速比を制御する。
【００４２】
一方、エンジン冷却水温度上昇率ｄＴｗ／ｄｔが所定値γ未満のときはステップ１３へ進み、とりあえず燃費優先の通常の変速マップ１から現在の車速Ｖｓｐ１とアクセルペダル操作量θ１に対応するエンジン回転速度Ｎｅ１を読み込む。続くステッ１４で、エンジン冷却水温度上昇率ｄＴｗ／ｄｔによりエンジン回転速度Ｎｅ１を補正する。
【００４３】
図９は燃費優先の通常の変速マップ１を示し、曲線▲１▼はアクセルペダル操作量θ１における車速Ｖｓｐに対するエンジン回転速度Ｎｅの変速パターンを示す。アクセルペダル操作量θ１の変速パターン▲１▼上で、車速Ｖｓｐ１に対するエンジン回転速度はＮｅ１である。
【００４４】
図１０は、燃費優先の通常の変速マップ１から読み込んだ車速Ｖｓｐ１とアクセルペダル操作量θ１の場合のエンジン回転速度Ｎｅ１に対する、エンジン冷却水温度上昇率ｄＴｗ／ｄｔによる補正マップを示す。図において、エンジン冷却水温度上昇率ｄＴｗ／ｄｔが上記所定値γ以上の場合のエンジン回転速度は、上述したように、燃費優先の通常の変速マップ１から読み込んだ車速Ｖｓｐ１とアクセルペダル操作量θ１の場合のエンジン回転速度Ｎｅ１である。
【００４５】
この一実施の形態では、エンジン冷却水温度上昇率ｄＴｗ／ｄｔが所定値γより低くなるにしたがってエンジン回転速度Ｎｅが高くなるように補正する。すなわち、エンジン冷却水温度上昇率ｄＴｗ／ｄｔに反比例してエンジン回転速度Ｎｅを増加補正する。例えば、エンジン冷却水温度上昇率ｄＴｗ／ｄｔがγ１、γ２と低くなるにつれてエンジン回転速度がＮｅ２、Ｎｅ３と高くなるように補正する。
【００４６】
エンジン冷却水温度上昇率ｄＴｗ／ｄｔが所定値γより低くなるにしたがってエンジン回転速度Ｎｅが高くなるように補正することは、図９に示す燃費優先の通常の変速マップ１において、アクセルペダル操作量θ１、エンジン冷却水温度上昇率γに対する変速パターン▲１▼を、エンジン冷却水温度上昇率ｄＴｗ／ｄｔがγ１、γ２と低くなるにしたがって変速パターン▲２▼、▲３▼とエンジン回転速度Ｎｅが高くなるように変更することに相当する。
【００４７】
図８のステップ１５において、エンジン冷却水温度上昇率ｄＴｗ／ｄｔによる補正後のエンジン回転速度ＮｅとなるようにＣＶＴ２の変速比を制御する。
【００４８】
このように、第３の実施の形態によれば、エンジン冷却水温度の上昇率が低いほどエンジン回転速度が高くなるように燃費優先の通常の変速パターンを変更するようにしたので、エンジン始動後に速く車室内温度を立ち上げ、十分な暖かさで車室内を暖房することができる。
【００４９】
特許請求の範囲の構成要素と一実施の形態の構成要素との対応関係は次の通りである。すなわち、アクセルペダル操作量センサー１０がアクセルペダル操作量検出手段を、車速センサー１２が車速検出手段を、エンジン回転センサー１３がエンジン回転速度検出手段を、変速機・コントローラー８のメモリ８ｂが変速パターン記憶手段を、変速機・コントローラー８のＣＰＵ８ａが変速比制御手段および変速パターン変更手段を、温度設定器６が温度設定手段を、ファンスイッチ７が風量設定手段を、水温センサー１１が冷却水温度検出手段をそれぞれ構成する。なお、本発明の特徴的な機能を損なわない限り、各構成要素は上記構成に限定されるものではない。
【図面の簡単な説明】
【図１】第１の実施の形態の構成を示す図である。
【図２】ＣＶＴ車とＡＴ車とのエンジン冷却水放熱量の違いを説明する図である。
【図３】燃費優先の通常の変速マップ１を示す図である。
【図４】暖房優先の変速マップ２を示す図である。
【図５】第１の実施の形態の変速制御プログラムを示すフローチャートである。
【図６】エンジン冷却水温度の上昇率を示す図である。
【図７】第２の実施の形態の変速制御プログラムを示すフローチャートである。
【図８】第３の実施の形態の変速制御プログラムを示すフローチャートである。
【図９】アクセルペダル操作量θ１のときの変速マップを示す図である。
【図１０】アクセルペダル操作量θ１、車速Ｖｓｐ１に対するエンジン回転速度Ｎｅ１の補正マップを示す図である。
【符号の説明】
１  エンジン
２  無段変速機
３  減速機
４ａ、４ｂ  駆動輪
５  エアコン・コントローラー
６  温度設定器
７  ファンスイッチ
８  変速機・コントローラー
８ａ  ＣＰＵ
８ｂ  メモリ
９  エンジン・コントローラー
１０  アクセルペダル操作量センサー
１１  水温センサー
１２  車速センサー
１３  エンジン回転センサー
１４  イグニッションスイッチ
【図１】
2004239334.tif 000003
【図２】
2004239334.tif 000004
【図３】
2004239334.tif 000005
【図４】
2004239334.tif 000006
【図５】
2004239334.tif 000007
【図６】
2004239334.tif 000008
【図７】
2004239334.tif 000009
【図８】
2004239334.tif 000010
【図９】
2004239334.tif 000011
【図１０】
2004239334.tif 000012